(57)【要約】【課題】二つ折り式の携帯電話機において、磁石を含んで構成された発音部材により開閉検出を行う場合に、磁力を検出するセンサ部材の配置位置に対して自由度を持たせることができる携帯電話機を提供する。【解決手段】二つ折り式の携帯電話機において、少なくとも磁石を含んで構成された発音部材と、前期発音部材の磁石部分に接触する磁性体の板金と、折り畳まれた状態で前期磁性体の板金と対向する位置に配置された、磁力を検出するセンサ部材とを有し、センサ部材の配置位置に合わせて磁性体の板金の形状を変えることで磁力を検出でき、センサ部材の配置位置に自由度を持たせることが可能である。【選択図】図３
2007311979.tif 000002
【特許請求の範囲】
【請求項１】
第一の筐体と、一端が前期第一の筐体の一端に回転可能に取り付けられ、前期第一の筐体に対して、折り畳まれた状態または開かれた状態に位置決めされる第二の筐体と、前期第一の筐体内に設けられ、少なくとも磁石を含んで構成された発音部材と、前期発音部材の磁石部分に接触する磁性体の板金と、前期第二の筐体内に設けられ、折り畳まれた状態で前期磁性体の板金と対向する位置に配置された、磁力を検出するセンサ部材とを備えることを特徴とする携帯電話機。
【発明の詳細な説明】
【技術分野】
【０００１】
本発明は、二つ折り式の携帯電話機に用いる磁石とセンサ部材を使用した開閉検出に関するものである。
【背景技術】
【０００２】
従来、この種の磁石とセンサ部材を使用した開閉検出としては、第一の筐体と、一端が第一の筐体の一端に回転可能に取り付けられ、第一の筐体に対して、折り畳まれた状態または開かれた状態に位置決めされる第二の筐体と、第一の筐体内に設けられ、少なくとも磁石を含んで構成された発音部材と、第二の筐体内に設けられ、折り畳まれた状態で発音部材と対向する位置に配置された、磁力を検出するセンサ部材とを有し、開閉を検出するように構成されたものが知られている。（特許文献１参照）
このものによれば、携帯電話機の開閉を検出するために発音部材とは別に磁石を設ける必要がなく、携帯電話を構成する部品点数を少なくすることができる。
【特許文献１】特開２００３−８７３７４号公報
【発明の開示】
【発明が解決しようとする課題】
【０００３】
しかしながら、特許文献１に記載されたものでは、部品点数を削減することのみを目的としており、この発明を使用しようとしたとき、発音部材と対向する位置にセンサ部材を配置する必要があり、センサ部材の配置自由度が限られるという課題があった。
【０００４】
本発明は、このような従来の課題を解決するためになされたものであり、センサ部材の配置位置に自由度を持たせるように構成された携帯電話機を提供することを目的とするものである。
【課題を解決するための手段】
【０００５】
本発明の携帯電話機は、第一の筐体と、一端が前期第一の筐体の一端に回転可能に取り付けられ、前期第一の筐体に対して、折り畳まれた状態または開かれた状態に位置決めされる第二の筐体と、前期第一の筐体内に設けられ、少なくとも磁石を含んで構成された発音部材と、前期発音部材の磁石部分に接触する磁性体の板金と、前期第二の筐体内に設けられ、折り畳まれた状態で前期磁性体の板金と対向する位置に配置された、磁力を検出するセンサ部材とを備えた構成を有する。
【０００６】
この構成により、センサ部材は磁性体の板金の磁力を検出する。その結果従来のように、発音部材と対向する位置にセンサ部材を配置する必要がない。その結果、センサ部材の配置位置に自由度を持たせることができる。
【発明の効果】
【０００７】
本発明は、第一の筐体と、一端が前期第一の筐体の一端に回転可能に取り付けられ、
前期第一の筐体に対して、折り畳まれた状態または開かれた状態に位置決めされる第二の筐体と、前期第一の筐体内に設けられ、少なくとも磁石を含んで構成された発音部材と、
前期発音部材の磁石部分に接触する磁性体の板金と、前期第二の筐体内に設けられ、折り畳まれた状態で前期磁性体の板金と対向する位置に配置された、磁力を検出するセンサ部材とを備え、センサ部材は磁性体の板金の磁力を検出するように構成したものであり、これによりセンサ部材の配置位置に自由度を持たせることができる。
【発明を実施するための最良の形態】
【０００８】
以下、本発明の実施の形態について図面を用いて説明する。
【０００９】
（実施の形態１）
図１は、本発明の第１の実施の形態における携帯電話機の斜視図である。
【００１０】
本発明の第１の実施の形態における携帯電話機１は、図１に示すように、第一の筐体２と、第一の筐体２に回転可能に取り付けられる第二の筐体３を有する。
【００１１】
第一の筐体２は、一方端２aと他方端２ｂへ伸びるように形成され、磁石を含み、音を発する発音部材としてのレシーバ４と、前期レシーバ４の磁石部分４aに接触する磁性体の板金5を有する。レシーバ４は、相手側の音声を使用者に伝えるための部材であり、磁石４aを有する振動体により構成される。
【００１２】
また、第一の筐体２は主表面２cを有し、主表面２ｃには窓６が嵌め合わされている。窓６は、アクリル樹脂などの透明部材などで構成される。第一の筐体２内には液晶ディスプレイが設けられており、窓６を介して使用者は液晶ディスプレイに表示された文字情報などを視認することができる。なお、窓６は主表面２ｃの中央部分に設けられる。
【００１３】
第二の筐体３は、一方端３aと他方端３ｂへ伸びるように形成され、携帯電話機１が折り畳まれた状態で磁性体の板金５と対向する位置に配置された、磁力を検出するセンサ部材７を有する。
【００１４】
また、第二の筐体３は主表面３ｃを有し、主表面３ｃには複数個の操作キー８が設けられている。操作キー８は、第二の筐体３の中央部に設けられ、複数個が縦方向と横方向に規則正しく並べられる。
【００１５】
次に、この発明の第１の実施の形態における携帯電話機１を折り畳んだときの断面図について説明する。図２は本発明の第１の実施の形態における携帯電話機１を折り畳んだときの斜視図を、図３は図２中のA-A線に沿って見た断面図を示す。
【００１６】
図３に示すように、第一の筐体２の内部には空間が形成されており、この空間内に基板９が配置されている。基板９は板状であり、その表面には、液晶ディスプレイにより構成される液晶１０が配置されている。液晶１０は基板９へ取り付けられている。レシーバ４はクッションを介して、レシーバ４の磁石４aに接触する磁性体の板金５により、第一の筐体２に取り付けられている。
【００１７】
第二の筐体３の内部には空間が形成されており、その空間内に基板１１が設けられている。基板１１の表面には、複数個のスイッチ１２が設けられている。スイッチ１２を押圧可能な位置には操作キー８が設けられる。主表面３cに近い側の面には、センサ部材７が設けられる。折り畳んだ状態のとき、すなわち筐体３と筐体２が近接した状態のとき、センサ部材７は磁性体の板金５の発する磁力を検出する。
【００１８】
基板１１の面のうち、主表面３cからから遠い側の面には、中央処理装置１３が設けられる。中央処理装置１３は、スイッチ１２及びセンサ部材７と接続される。センサ部材７が磁力を検出すると、センサ部材７から中央処理装置１３へ信号が送られる。これにより、中央処理装置１３は液晶１０に対して、消費電力を低減させる等の開閉状態を識別する信号をおくる。基板１１と基板９はフレキシブル基板１４で電気的に接続されている。これにより、折り畳んだ状態では、液晶１０の消費電力の低減などを実行する。
【００１９】
このように構成された第１の実施の形態における携帯電話機は、センサ部材７がレシーバ４の磁石４aに接触する磁性体の板金の磁力を検出することにより、携帯電話機１が開いている状態であるか、折り畳まれた状態であるかを判断する。センサ部材７は板金の磁力を検出しているため、センサ部材７の配置位置に合わせて板金の形状を変えることにより磁力を検出することが可能であり、したがってセンサ部材の配置位置に自由度を持たせることができる。
【産業上の利用可能性】
【００２０】
本発明は、二つ折り式の携帯電話機に用いる磁石と磁力を検出するセンサ部材を使用した開閉検出の用途に有用である。
【図面の簡単な説明】
【００２１】
【図１】本発明の第１の実施の形態における携帯電話機の斜視図
【図２】携帯電話機１を折り畳んだときの斜視図
【図３】携帯電話機１を折り畳んだときの断面図
【符号の説明】
【００２２】
１    携帯電話機
２    第一の筐体
３    第二の筐体
４    レシーバ
５    磁性体の板金
６    窓
７    センサ部材
８    操作キー
９    基板
１０    液晶
１１    基板
１２    スイッチ
１３    中央処理装置
１４    フレキシブル基板
【図１】
2007311979.tif 000003
【図２】
2007311979.tif 000004
【図３】
2007311979.tif 000005